(57)【要約】      （修正有）【課題】キー回転方式の錠で不法開錠（ピッキング）を不能にする構造を有するものを提供する。【解決手段】キーのつかみ部分と鍵先部分との間にキーの幅方向を出来る限り縮小した幅長さのようなクビレた形状を持った第３の部分を設定し、錠の回転シリンダー側にはクビレ部分が回転できる円形状の小さめの丸穴を持つた部品を回転シリンダーの保持機構部分またはドア部分に固定する。この構成によりピンでのピッキングを不能とする。【選択図】なし【特許請求の範囲】
通常回転するキー形状では手で持つ部分と開錠有効キー本体部と２部分であり、キー有効部形状では厚さ方向（板厚の場合もある）、幅、長さがある、
【請求項１】
（ア）通常の回転するキーでは手で持つ部分と開錠する有効部部分（厚さ方向フラットでないものもある）の間に、更にもう一つの部分を設け、その部分は幅方向を狭くしたものとで３部分から成るキーとし、その追加部分は幅方向では幅サイズ方向を縮小して
（イ）キー開錠有効部幅より出来るだけ縮小幅は大きくし、使用強度可能なサイズの間の何れかまでのサイズとし、幅の狭める位置関係は特に定めないが、例えばキーの回転中心を基点に原則的に両方から狭くしてクビれた形状キー（図２Ｇ、ｗ）としたもの（事例２ミリ）、又クビれ回転芯断面部はピン不法開錠防止のため出来るだけ小さくＭｉｎで２ミリ位の矩形、長方形、丸のものが好ましい。
（ウ）このキーに対応して回転シリンダーに通常では”回転する挿入角穴形状があるがこれと同じ形状に追加でクビれ部分（ｗ）が回転出来る円形状の小さめの丸穴（事例Ｍｉｎでは２．５ミリ程度が好ましい）を持つ部品を新たに追加し（図２−φ）、これを錠本体の固定側、即ち回転シリンダーの保持機構部か又は固定をドアー側に一体型か、溶接、カシメ、ネジ止め等で１種か又は色々併用で完全固定し、ピンでのピッキングによる回転が出来ぬようにしたもの。回転防止両端のコ面一体規制であるが、幅方向左右だけの両端２面だけのもの等のもある。この錠はア、イ、ウ併用で機能するものである。
従ってサイズｗは回転できるが広い幅Ｗでは固定され回転できない。
・ピン等でピッキングしようにも、回転シリンダー内のロックピンを外せてもドアー側ロックピンは殆ど回転は出来ずこのため開錠出来ないが、新しいクビれたキー（図２）では内蔵回転シリンダーを左右に回転出来るので開錠出来る。
【請求項２】
回転右か、左だけのいずれかしか出来ない南京錠等では回転上記回転規制以外に１面規制だけのものもあり、キー自体のクビれ形状も片側だけのものもある（図４）。
【発明の詳細な説明】
【００１】
【産業上の利用分野】
２１世紀になり犯罪も錠等を潰して不法侵入するロウレベルのものと、不法侵入犯罪激増の中犯罪のプロも開錠出来ない、又ドライバーでの破壊も不可能なものの発明を考える。
変な自尊心を持つプロは錠は決して潰さないで開錠する。錠業界では不法開錠防止は不可能と考えられているように思われる。
ノーベル化学賞の田中氏テスト意図と異なる混合ミスの材料、捨てるのはどうかと思いテストして発見とのこと。７０年代水平思考提案のケンブリッチ大学デボノ教授の発想で垂直思考で限界あり水平発想でこのプロ泣かせの工法を思いつきました。自称２１世紀画期的と思ってます。
【００２】
【従来の技術】
回転シリンダー内ロックピンを外しながらドアーロックを外せるレベルの２１世紀のハイテクでなく依然とローテク状態であった。
小生の関係者で１０年間に及ぶ悪戯で不法侵入されております。この対策を研究
【００３】
【発明が解決しようとする課題点】
ピッキングによる不法開錠の手法は回転シリンダー内の長いピンを使いロックピンを外すだけで（１）は開錠は不可能で、且つ回転してドアーのロックピンの開錠（２）が必要ですがこれもプロは開錠してしまいます。不法開錠出来るが常識でやむを得ぬと言う業界判断が有ったように思える。今までのもの回転シリンダー内のピンを外せないかに業界として垂直思考的にしてきたように思えます。
【００４】
【課題を解決するための手段】
先ず回転シリンダー内のロックピンを外されぬ工法でなくこれを無視で小生水平思考で次工程のドアーピンを外せぬよう、回転シリンダーを回転出来ぬようにする防止方法の二つ目の工法に重点をおいた発明で自画自賛かもしれませんが、プロが最敬礼するものを発明しました。
現存しないキー手で持つ部分と開錠有効部分の間に幅方向を強度持つ限りなく狭くした長方形（含む矩形、丸形状）キーを考案（図２，３）これに対応した新たにこのキーしか回転できない回転防止板装着等の機能を追加したものです。
回転防止板等の板厚５〜１０ミリ等で焼き入れをして、更に表面ダイヤモンドと同等の硬さを有する高温表面処理したものですとドリルも負けて困難としたものである。
３０年前に米国工場見学しましたが二度と家庭電気製品が米国に帰ることありませんでした。日本の不況脱出不能も２１世紀も未だ垂直思考で洗濯機、エヤコン作るは驚きです。２１世紀は水平思考でないと生きてはゆけない？お手数ですが今後色々お願いしますがよろしくお願いします。
【００５】
【作  用】
２１世紀ＡＴＭ事件等の低レベルもの、錠を潰さず不法侵入の犯罪多発もこの錠を活用するとこの種の錠の不法侵入が排除でき安心の一つとなる。
【００６】
【実施例】
回転シリンダーの図３のように回転防止板をネジ止めして溶着した。
【００７】
【発明の効果】
精神的に不安、恐怖心を起こすため月に数回不法侵入は完全排除できた。
水平思考で現存商品をわずかな改良するだけで画期的機能が期待できる。
【図面の簡単な説明】
【図１】比較参考のために通常錠事例を掲載
【図２】−１新しいキー
−２錠キー差し込み部正面図
−３新しい回転防止機能
ドアー側に発明の回転防止機能プレートＢが取り付けられた状態
斜線Ｓは回転シリンダー  Ｋは回転シリンダー保持機構部
回転防止機能板Ｂ等は薄くせず出来だけ２〜１０と厚い方がよい
【図３】回転防止機能事例
−４  回転シリンダー保持機構部と一体型か又はプレートＰを溶着、ネジ止めカシメ等色々併用装着の事例
【図４】南京錠での一面のみの回転防止事例
【符号の説明】
Ｌ＝キー有効部の長さ
Ｗ＝キー有効部の幅
ｗ＝回転規制のための最小幅
Ｇ＝回転防止に活用
Ｓ＝回転シリンダー
Ｋ＝回転シリンダー保持機能部
Ｂ＝回転防止プレート
【図１】
2005054355.tif 000002
【手続補正書】
【提出日】平成15年7月1日(2003.7.1)
【手続補正１】
【補正対象書類名】明細書
【補正対象項目名】特許請求の範囲
【補正方法】変更
【補正の内容】
【特許請求の範囲】
【請求項１】
次に述べるア、イ、ウ構成で請求項１とします。
ア・普通キーは主に２部分から成っているが意図する特殊キーはその間に長さ方向に更に１部分追加でその形状は幅方向を特に定めないが有効幅よりに狭くクビれた形状（図２）で、材料強度が許す限り幅（クビれ量）を狭くするのが効果的が、その度合いは数値的には定めないが狭いほどピッキングが難しくなる効果を発揮するキーとなる。クビれた形状も特に指定しないがこの断面は板厚、幅であるが矩形、長方形あるいは回転しやすい丸形状、楕円等のものもあるものとする。
イ・通常開錠時、キーを挿入する回転シリンダーにキー角穴（く等の形状等）があるが、この穴形状に対して新規追加で回転しないプレートをを設けた。新たにピッキングを不能にするため、キーのクビれた寸法に対応し、丸形状（特に指定はしないが事例図２・４．５〜２φ以下）をキー挿入穴プレートに追加したもので丸形状内ではクビれキーのみ回転可にした。固定プレートの丸形状寸法を超えた通常幅キーは回転しない訳である。プレートの板厚３〜８ミリと厚い方が正面からは深くなりより開錠困難となる。
・又は別途左右回転規制のため２点又は３〜４点ピン等での規制のものも含む。
・もう一つ南京錠では左右何れかしかできないので１点規制のものも含む。
ウ・この回転しないプレートを回転シリンダーを保持する支持機構部か、又はドアー側に一体型か、ネジ、カシメ、溶接等で固定された錠設置状態のもので、開錠時にはキーをこの完全固定された内部センターに丸形状を持つ角穴プレート等を経てクビれキーを回転シリンダーに挿入するとクビれキー寸法に対応した固定プレート丸形状内のみを回転出来るので開錠できる。
【請求項２】
ア、イ、ウ単独、又はこの２個以上組み合わせのものも含むものとする。これらを活用しての現行錠の改造のものも含むものとする。
【手続補正書】
【提出日】平成15年12月4日(2003.12.4)
【手続補正１】
【補正対象書類名】明細書
【補正対象項目名】全文
【補正方法】変更
【補正の内容】
【特許請求の範囲】
【請求項１】（ア）通常の回転する開錠のキー形状では断面で厚さ、幅、長さがあるが手で持つ部分と開錠する有効部分（厚さ方向フラットでないものもある）の間に、新たにもう一つの部分を設け、その部分は幅方向を狭くした形状（ｗでコ形状等に特定しない）で幅方向狭くした特定の巾形状のみ回転出来るようにしたキーでＤキーと呼ぶこととする。
即ち目的は通常の回転シリンダー錠の外側に更に回転不能（頭２プレートＥ）部分を設けてある、通常キー回転出来ないが、”キー幅方向を狭くした特定部分を設け回転開錠可能のｗ新部分との３部分から成るキーである。
（イ）回転シリンダーキーの保持機構に開錠回転を特定幅（ｗ寸法）以上は回転規制したプレート等を備えた。
この錠に対応して回転シリンダーに通常では回転開錠出来ないが、追加機能のクビれ部分（ｗ）により回転出来るよう円形状（参考φ４５）を持つプレート等で回転規制形状には新たに追加（図２−φ）したものである。
その穴形状は左右回転規制のためのものである。（図２）（図４）
但し南京錠では左右１方向しか回転出来ぬものは規制１カ所（図４）のものもある。
（ウ）回転防止のプレート機能の一体化については錠本体の固定側、即ち回転シリンダー保持機構部か、又は固定をドアー側に一体型か、溶接、カシメ、ネジ止め等で１種類以上の方法で完全固定し、ピンでのピッキングによる回転が出来ぬようにしたもの。
回転不能のためので、この錠はア、イ、ウ併用で機能するものである。
従ってサイズ（ｗ）では回転できるが広い幅Ｗでは固定され回転できない。
・ピン等でピッキングしようにも、回転シリンダー内のロックピンを外せてもドアー側ロックピンは殆ど回転は出来ずこのため開錠出来ないが、新しいクビれたキー（図２）では内蔵回転シリンダーを左右に回転出来るので開錠出来る。（図２）（図３）
【請求項２】・回転シリンダー錠内の奥部に通常キーかＤキーと同じ断面の浮動キー（ＦＫ）を更に追加し、これを通常内蔵してこれに１個以上のロックピンを設け同じキー機能をもたせ、ダブルロックとし、従来の左端ロックピンと新たな右端ロックピンのピンピッチピンの寸法との関係等で開錠できるようにもの。
・更にこの特許のハイライトは追加された浮動キーと通常キー又はＤキーとの接触部部分（Ｖ位置中心方向）のみに、回転シリンダー内部構造のキー溝穴の寸法の幅又は、厚さ方向にピッキングのピン挿入不能にする程度に寸法を狭くする為ピン、ネジ等（Ｖ位置中心方向）の障害物を備えたものである、
又は回転シリンダー内部溝穴等寸法を接触部分（Ｖ）のみ狭くなるよう加工又は部品を接合溶着等で装着した機構のもので、ピッキング対応に画期的なものであると確信する。
浮動キー機能だけのもの、更に障害物機能も併用したものあり。（図５）
・卑怯プロとって電子キーは極めて開錠し易く、これに対応防御するためメカのこの画期的な浮動キー（含むＶ機能）を備えたものも含む。
・尚そのキーの左端部と追加キー右端の位置関係等で開錠するが、その位置関係を極秘とする為ユーザーサイドで（図５）ＬＬ値は市販標準品では一定であるが，ＬＬ、Ｌの関係で寸法設定を可能にしてキーの挿入程度で開錠が困難とななる。
浮動キー側のロックピンは機構保持部の外部側より装着のものもあり特に図６のように浮動キーがレバー１と兼用が特徴である。
これは一般の錠はキー挿入で回転シリンダーを回転その先端に固定レバー１とドアーをロック、アンロックするレバー２で構成するがレバー１を固定せずキー挿入時レバー１が奥方向に行きはじめてレバー２に勘合出来、開錠出来る。通常はレバー１とレバーは勘合していない機構のものもある。寸法値ＬＬ，Ｌ関係をユザー側で加工変更でき更にピッキング等困難となる。（図６）。
・尚ロックピンについては片側の場合であるが２側以上のものも考え方は同じである。
更にセキュリテイ上で電気接点機構を設け指定のキーではなく長すぎるキー、ピッキングピンを挿入すると接点が機能して電気信号がでる接点機構を持つものも有る。（図９）。
又は指定のキー以外の長すぎるキー、ピンを挿入すると絶縁ピン（ＺＺ）が外れて常時通電状態になり、ベル等鳴りぱなしになる接点機能のものもある（図１０）。
【請求項３】１・汎用錠は開錠時キー挿入で回転シリンダー先端に装着の回転するレバー１がレバー２の穴に何時も勘合しておりドアー側へロックキー（ＲＫ）をロック、アンロック出来るが、発明のもののレバー１を回転シリンダーに固定せず、挿入するキー方向に自由に移動出来るもので常時勘合せずキー挿入時に初めてレバー１がレバー２の方向に押され移動してレバー１，２が勘合してバネ力等の利用で初めてロック、アンロック出来るもの（図７、（Ａ）勘合時、（Ｂ）勘合解放時）。
レバー１の平面形状は３種類あり何れかで平面１は通常で他のもの通常のキーでは挿入深さ決まるが指定外キー、ピンでのピッキング等で深く挿入しすぎると逃げ部を設け空転して開錠等出来ないものもある（図８、平面１，２，３）。以上の機能を持つものである。
更に以下の機能が有ればこれも含むものとする。即ちきーとレバー１長さにより色々の組み合わせが出来、浮動キー位置認定難しくピッキング等の開錠更に困難となる（図７，ＬＬとＬ値変動の関係で）。
・機能を更に電気接点機構を以上の機能に追加したもので指定のキーではなく、更に長いキー、ピンを挿入すると開錠出来ず更に接点が作用して電気信号がでる接点機構を持つもの（図９）。又は
指定のキー以外の長すぎるキー、ピンを挿入すると絶縁片（ＺＺ）が外れて常時通電状態になり、ベル等鳴りぱなしになる接点機構のものも含む。
【発明の詳細な説明】
【００１】
【産業上の利用分野】
２１世紀になり犯罪も錠等を潰して不法侵入するロウレベルのものと、不法侵入犯罪激増の中犯罪のプロも開錠出来ない、又ドライバーでの破壊も不可能なものの発明を考える。
変な自尊心を持つプロは錠は決して潰さないで開錠する。錠業界では不法開錠防止は不可能と考えられているように思われる。
ノーベル化学賞の田中氏テスト意図と異なる混合ミスの材料、捨てるのはどうかと思いテストして発見とのこと。７０年代有名になった”水平思考”提案のケンブリッチ大学デボノ教授の発想で垂直思考で限界あり水平発想でこのプロ泣かせの工法を思いつきました。自称２１世紀では画期的と思ってます。
【００２】
【従来の技術】
回転シリンダー内ロックピンを外しながらドアーロックを外せるレベルの２１世紀のハイテクでなく依然とローテク状態であった。
小生の関係者で１０年間に及ぶ悪戯で不法浸入されております。この対策を研究開始
【００３】
【考案が解決しようとする課題点】
ピッキングによる不法開錠の手法は回転シリンダー内の長いピンを使いロックピンを外すだけでは開錠は困難で、且つ回転してドアーのロックピンの開錠が必要ですがこれもプロは開錠してしまいます。不法開錠出来るが常識でやむを得ぬと言う業界判断が有ったように思える。今までのもの回転シリンダー内のピンを外せないかに業界として垂直思考的にしてきたように思えます。
ピッキングピン挿入不能で開錠出来ないものを考える。
【００４】
【課題を解決するための手段】
１・先ず回転シリンダー内のロックピンを外されぬ工法でなくこれを無視で小生水平思考で次工程のドアーロックピンを外せぬようではなく、ピンを外しにくく且つ回転シリンダーを回転出来ぬようにすると言う二つ目の工法に重点をおいた発明で自画自賛かもしれませんが、開錠プロが最敬礼するものを発明しました。
現存しないキーを手で持つ部分と開錠有効部分の間に幅方向を強度持つ限りなく狭くした長方形（含む矩形、丸形キーを考案（図２，３）これに対応した新たにこのキーしか回転できない回転防止プレート等を装着等の機能を追加したものです。図のＭｉｎの数値は事例にすぎず特に特定するものではない。
２・通常の開錠用キー以外に回転シリンダーに内蔵の浮動キーを設けて仕切ピンを設け浮動キーのピッキングを完全不可能に出来ないか。浮動キーを長くしてレバー１として活用の可能性
３・汎用キーは回転シリンダーに固定のレバー１とロックキーをロック、アンロックするレバー２で構成するが今回の工法はレバー１を固定せず前後可動で新しいアイデアを考える。
４・不法開錠防止でセキュリテイ上自動信号発信のための機構を考える。
５・３０年前に米国工場見学しましたが二度と家庭電気製品が米国に帰ることありませんでした。日本の不況脱出不能も２１世紀も未だ垂直思考で洗濯機、エヤコン作るは驚きです。２１世紀は水平思考でないと生きてはゆけないと言う発想で取り組みました。
【００５】
【作  用】
２１世紀ＡＴＭ事件等の低レベルもの、錠を潰さず不法侵入の犯罪多発もこの錠を活用するとこの種の錠の不法侵入が排除でき安心の一つとなる。
１・Ｄキーで開錠困難となる。
２・回転シリンダー錠内の奥部にキーと同じ断面の浮動キーを追加し、これは通常内蔵してこれにも１個以上のロックピンを設け同じキー機能をもたせ、従来の左端ロックピンと新たな右端ロックピンのピッチ寸法との関係等で開錠できるもの。浮動キーは右側よりＣＳ（バネ）で常時押されている。
・更に追加された浮動キーと通常キーかＤキーとの接触部部分のみ、回転シリンダー内部の    キー穴サイズの幅、厚さ方向又は何れかをピッキング不能で開錠不能程に狭くしたものか、又はそうしていないものがある。（図５）
【００６】
【実施例】
１・回転シリンダーの（図２）（図３）のように一体化か、回転防止板等を備えたもの。
２・浮動キー追加で開錠困難も、完全開錠不能のため通常キーか、Ｄキーと接触時の接触部寸法のみ回転シリンダー内の穴形状の厚さ、幅狭くして開錠不能成功。
浮動キーのアセンブリ時通常の方式では困難逆方向からの組み立て好ましい（図５）
３・更に新しくドアーのロック、アンロックのためレバー１を移動式にして移動しなければレバー２駆動、勘合出来ず従って開錠出来ない。
又寸法値ＬＬ，Ｌがユザー側で設定加工変更が出来不法開錠が更に困難となり、必要以上に押すしすぎると図９のＧＧで空転し開錠出来ず画期的なアイデアと思う（図６，７）。
４・又セキリテイ上不法ピッキングしようとしても異常信号発信のための事前機構を持ち、瞬間発信の為の機構更に発信し続けるための機構準備で工事が容易である（図８，１０）。
【００７】
【考案の効果】
精神的に不安、恐怖心を起こすため月に数回不法侵入は完全排除できた。
水平思考で現存商品をわずかな改良するだけで画期的機能が期待できる。
【図面の簡単な説明】
【図１】比較参考のために通常錠事例を掲載
【図２】Ｄキー  −２錠キー差し込み部正面図  −３新しい回転防止機能  ドアー側に発明の回転防止機能プレートＢが取り付けられた状態  斜線Ｓは回転シリンダー  Ｋは回転シリンダー保持機構部  回転防止機能板Ｂ等は薄くせず出来だけ２〜１０と厚い方がよい
【図３】回転防止機能事例  −４  回転シリンダー保持機構部と一体型か又はプレートＰを溶着、ネジ止めカシメ等色々併用装着の事例
【図４】南京錠での一面の規制事例
【図５】通常ロックピンにロックピンを有する浮動キーを設け、更にピッキングを不能にするネジｏｒピン（Ｖ）又は回転シリンダーの内部穴に狭い部分を設けたもの。
【図６】浮動キーＦＫのロックピンを機構保持部の外側より装着、浮動キーとレバー１の機能を兼ねたものでロックキーの駆動のためレバー１が移動、勘合したときのみ、レバー２が可動し開錠出来る機構事例。
【図７】通常のレバー１と２とを勘合をせずにキー挿入でレバー１が可動で初めて勘合
【図８】レバー１の側面と平面図１，２、３
【図９】汎用キーの電気用の異常時接点の機構
【図１０】汎用キーの電気用の異常時の常時通電の機構
【符号の説明】
Ａ＝回転シリンダー保持機能部
Ｂ＝回転シリンダー
Ｌ＝キー有効部の長さ
Ｗ＝キー有効部の幅
ｗ＝回転規制のための最小幅
Ｇ＝回転防止に活用（形状はコ形状等特に定めない）
Ｅ＝回転回転防止プレート等で一体の物もある。
φ＝回転規制の固定部の最小寸法
ＦＫ＝浮動キー
Ｖ＝浮動キーのピッキングの防止の妨害ピン、ネジ（回転シリンダー内部穴に一体加工で設けたものもあり）
ＣＳ＝コイル、又は板バネ
ＲＰ＝回転シリンダーのロックピン
ＲＫ＝ドアーのロックキー
ＬＬ＝キー挿入時の先端迄の寸法
Ｌ＝  キー挿入の先端からドアーの反対側迄の寸法
（Ａ）＝レバー１、２勘合状態
（Ｂ）＝レバー１、２解放状態
（Ｃ）＝接点接触状態
（Ｄ）＝接点解放状態
（Ｅ）＝指定キーでなく挿入しすぎで絶縁片（ＺＺ）外れ、異常通電
（Ｆ）＝接点正常状態
（ＧＧ）＝キー挿入しすぎ時空転の為の逃げ
（ＺＺ）＝絶縁片


【手続補正２】
【補正対象書類名】図面
【補正対象項目名】全図
【補正方法】変更
【補正の内容】
【図１】
2005054355.tif 000003
【図２】
2005054355.tif 000004
【図３】
2005054355.tif 000005
【図４】
2005054355.tif 000006
【図５】
2005054355.tif 000007
【図６】
2005054355.tif 000008
【図７】
2005054355.tif 000009
【図８】
2005054355.tif 000010
【図９】
2005054355.tif 000011
【図１０】
2005054355.tif 000012
【手続補正書】
【提出日】平成15年12月13日(2003.12.13)
【手続補正１】
【補正対象書類名】明細書
【補正対象項目名】特許請求の範囲
【補正方法】変更
【補正の内容】
【特許請求の範囲】
【請求項１】
（ア）通常の回転する開錠のキー形状では断面で厚さ、幅、長さがあるが手で持つ部分と開錠する有効部分（厚さ方向フラットでないものもある）の間に、新たにもう一つの部分を設け、その部分は幅方向を狭くした形状（ｗでコ形状等に特定しない）で幅方向狭くした特定の巾形状のみ回転出来るようにしたキーでＤキーと呼ぶこととする。
即ち目的は通常の回転シリンダー錠の外側に更に回転不能（図２プレートＥ）部分を設けてある、通常キー回転出来ないが”キー幅方向を狭くした特定部分を設け回転開錠可能のｗ新部分との３部分から成るキーである。
（イ）回転シリンダーキーの保持機構に開錠回転を特定幅（ｗ寸法）以上は回転規制したプレート等を備えた。
この錠に対応して回転シリンダーに通常では回転開錠出来ないが、追加機能のクビれ部分（ｗ）により回転出来るよう円形状（参考φ４．５）を持つプレート等で回転規制形状には新たに追加（図２−φ）したものである。
その穴形状は左右回転規制のためのものである。（図２）（図４）
但し南京錠では左右１方向しか回転出来ぬものは規制１カ所（図４）のものもある。
（ウ）回転防止のプレート機能の一体化については錠本体の固定側、即ち回転シリンダー保持機構部か、又は固定をドアー側に一体型か、溶接、カシメ、ネジ止め等で１種類以上の方法で完全固定し、ピンでのピッキングによる回転が出来ぬようにしたもの。
回転不能のためので、この錠はア、イ、ウ併用で機能するものである。
従ってサイズ（ｗ）では回転できるが広い幅Ｗでは固定され回転できない。
・ピン等でピッキングしようにも、回転シリンダー内のロックピンを外せてもドアー側ロックピンは殆ど回転は出来ずこのため開錠出来ないが、新しいクビれたキー（図２）では内蔵回転シリンダーを左右に回転出来るので開錠出来る。（図２）（図３）
【請求項２】
（１）回転シリンダー錠内の奥部に汎用キーか又はＤキーと同じ断面の浮動キー（ＦＫ）を更に追加し、これを通常内蔵してこれに１個以上のロックピンを設け同じキー機能をもたせ、ダブルロックとし、従来の左端ロックピンと新たな右端ロックピンのピン
・追加された浮動キーとの接触部部分（Ｖ位置中心方向）のみに、回転シリンダー内部構造のキー溝穴の寸法の幅又は、厚さ方向にピッキングのピン挿入不能にする程度に寸法を狭くする為ピン、ネジ等（Ｖ位置中心方向）の障害物を備えたものを追加したものもある（図５）。
・卑怯プロとって電子キーは極めて開錠し易く、これに対応防御するためメカの浮動キー（含むＶ機能）を備えたものも含んだものである。
・尚ロックピンについては片側の場合であるが２側以上のものも考え方は同じである。
（２）又は汎用錠は通常開錠時挿入回すとその回転シリンダーの先端に固定のレバーの１とロックキー間のレバー２連結でロックキーを開錠するが、これは（１）の浮動キーとレバーを一体化してバネで常時解放であるも、指定のキー挿入時のみ
指定の奥に押されて勘合ロック状態になりドアーのロックのロックキーを開錠出来る（図６）。キー先端からの最初のロックピンのセンター迄の寸法ＬＬとケース内面より浮動レバー側左先端迄の寸法Ｌとし、ユーザー側でキー先端ＬＬと浮動キーレバー側Ｌ寸法比変更加工で変えることにより更に不法行為が困難としたもの。即ちこれを極秘としてハイライトでユーザー側ではキー側ＬＬ値は市販標準品では一定であるが，この寸法設定を加工変更可能（図６キー先端形状溶接等でＬ１，Ｌ２変更事例）にして挿入し過ぎると空転等でキーの挿入深さ寸法不明でチェック難しく開錠が困難とし不法侵入者も手こずるものもある。
特に図６のように浮動キーとレバー１と一体化が特徴のものでキー指定深さ以上挿入するとレバー１先端逃げ形状により（参考図８の２，３）とレバー２が勘合にても空転開錠不能できるものもある（図６）。
・尚ロックピンについては片側の場合であるが２側以上のものも考え方は同じである。
更に浮動キー側のロックピンは機構保持部の外部側より装着のもである。
・更にセキユリテイ上で電気接点機構を設け指定のキーではなく長すぎるキー、ピッキングピンを挿入し過ぎると接点が機能して電気信号が発信できる接点機構を持つものもも有る。（図９の（Ｃ）接点クローズ、（Ｄ）解放）。
・又は更に指定のキー以外の長すぎるキー、ピンを挿入すると絶縁ピン（ＺＺ）が外れて常時通電状態になり、ベル等鳴りぱなしになる接点機能のものもある。（Ｒ）は絶縁体である（図１０の（Ｅ）絶縁片外れ、（Ｆ）絶縁状態）。
【請求項３】
・汎用錠は開錠時キー挿入で回転シリンダー先端に装着の回転するレバー１がレバー２の穴に常時勘合しておリドアー側へロックキー（ＲＫ）をロック、アンロック出来るが、発明のもの簡易に浮動キー機能なしでレバー１を回転シリンダーに固定せず、挿入するキー方向に自由に移動出来るもので常時勘合せずキー挿入時に初めてレバー１がレバー２の方向に押され指定量移動してレバー１、２が勘合してバネ（コイル、板、皿ばね等弾性材）力の利用で初めて解放ロック、アンロック出来るもの（図７の（Ａ）勘合時、（Ｂ）勘合解放時）。
・レバー１の平面形状は３種類あり何れかで平面１は通常で他のもの通常のキーでは挿入深さ決まるが指定外キー、ピンでのピッキング等で深く挿入しすぎると逃げ部を設けあり空転して開錠等出来ないものもある（図８の平面１，２，３）。以上の機能  を持つものである。
更に以下の機能が有ればこれも含むものとする。即ちユーザー側でキーとレバー１長さにより色々の組み合わせが出来、浮動キー位置認定難しくピッキング等の開錠更に困難となる図７の寸法ＬＬとＬ値変更の関係をユーザー側で（図６のキー事例でキー先端形状溶接等でＬ１，Ｌ２値の寸法比の変更加工事例）で形状変更可能としたものもある。
・尚ロックピンについては片側の場合であるが２側面以上のものも考え方は同じである。・機能を更に電気接点機構を以上の機能に追加したもので指定のキーではなく、更に長いキー、ピンを挿入すると開錠出来ず更に接点が作用して電気信号がでる接点機構を持つものもる。（図９）。又は指定のキー以外の長すぎるキー、ピンを挿入すると絶縁片（ＺＺ）が外れて常時通電  状態になり、ベル等鳴りぱなしになる接点機構のものもある（図１０）。（Ｒ）は絶縁体。
【手続補正２】
【補正対象書類名】図面
【補正対象項目名】全図
【補正方法】変更
【補正の内容】
【図１】
2005054355.tif 000013
【図２】
2005054355.tif 000014
【図３】
2005054355.tif 000015
【図４】
2005054355.tif 000016
【図５】
2005054355.tif 000017
【図６】
2005054355.tif 000018
【図７】
2005054355.tif 000019
【図８】
2005054355.tif 000020
【図９】
2005054355.tif 000021
【図１０】
2005054355.tif 000022
【手続補正書】
【提出日】平成15年12月20日(2003.12.20)
【手続補正１】
【補正対象書類名】明細書
【補正対象項目名】全文
【補正方法】変更
【補正の内容】
【特許請求の範囲】
【請求項１】・一般の汎用キーに回転シリンダー錠内の奥部に通常キーと同じ断面の浮動キー（ＦＫ）を更に追加し、これを内蔵してこれに１個以上のロックピンを設け同じキー機能をもたせダブルロックとし、従来の左端ロックピンと新たな浮動キーの右端ロックピンのロックピンとの寸法位置関係で開錠できるようにしたものである。
・更に追加された浮動キーと通常キーとの接触部部分間（Ｖ位置中心方向）に、回転シリンダーのキー溝穴の寸法の幅又は、厚さ方向にピッキングのピン挿入不能にする程度に寸法を狭くする為ピン、ネジ等（Ｖ位置中心方向）の障害物を備えたものもある。浮動キー機能だけのもの、又は更に障害物機能も併用したものである。（図１）
卑怯プロとって電子キーは極めて開錠し易く、これに対応防御するためメカのこの画期的な浮動キー（Ｖ機能）を備えたものもである。
・更にそのキーの右端部と浮動キーキー左端の位置関係等で開錠するが、その位置関係を極秘とする事によりユーザーサイドで（図１）ＬＬ値は市販標準品では一定であるが，ＬＬ、Ｌの関係で寸法変更加工容易の設定を可能にしたものもある。これはキーの挿入程度でピッキング開錠位置が困難とした特徴のものである。
・更に浮動キー側シリンダーのロックピンは機構保持部の外部側より装着のものもある・更に図２のように浮動キーがレバー１と兼用が特徴としたものもある。
これは一般の汎用錠ではキー挿入で回転シリンダーを回転その先端に固定レバー１とドアーのロック、アンロックするレバー２で構成しレバー１は固定されているがこれは連結固定せずキー挿入時のみレバー１が奥方向に行き、はじめてレバー２に勘合連結出来、開錠出来るもの。常時はレバー１とレバー２は勘合していない機構で他には存在しないものと思われる。
（図２）。
・尚ロックピン対応はキーの一面のみの片側の場合であるが２側面以上のものも考え方は同じである。
・更にセキュリテイ上で電気接点機構を設け指定のキーではなく長すぎるキー、ピッキングピンを挿入すると接点が機能して電気信号がでる接点機構を持つものも有る。（図５）。
・又は指定のキー以外の長すぎるキー、ピンを挿入すると絶縁ピン（ＺＺ）が外れて常時通電状態になり、ベル等鳴りぱなしになる接点機能のものもある（図６）。
【請求項２】１・汎用錠は開錠時キー挿入で回転シリンダー先端に装着の回転するレバー１がレバー２の穴に何時も勘合しておりドアー側へロックキー（ＲＫ）をロック、アンロック出来るが、この発明のもの浮動キーを含まず、レバー１を回転シリンダーに固定せず、挿入するキー方向に自由に移動出来るもので常時勘合せずキー挿入時に初めてレバー１がレバー２の方向に押され移動してレバー１，２が勘合してバネ力等弾性の利用で初めてロック、アンロック出来るもの（図３、（Ａ）勘合時、（Ｂ）勘合解放時）。
レバー１の断面形状等は特に定めないが参考に図４に示す。
番号１，２は側面図事例、平面図では３は通常であるが強度向上のため支持棒を持つ物もある。４は挿入しすぎると空転するよう片面か両面みに逃げを設けた物（ＧＧ）で挿入深さで決まるが指定外キー、ピンでのピッキング等で深く挿入しすぎると逃げ部を設け空転して開錠等出来ないものである。
５は逃げを設け更に強度補強のため支持棒を設けたものである。
更に以下の機能が有ればこれも含むものとする。即ちキーとレバー１の長さにより色々の組み合わせが出来、レバー１位置認定難しくピッキング等の開錠更に困難となる（図２）。ハイライトはユーザーサイドでＬＬとＬ値加工変更を可能としたものである。
・機能を更に電気接点機構を以上の機能に追加したもので指定のキーではなく、更に長いキー、ピンを挿入すると開錠出来ず更に接点が作用して電気信号がでる接点機構を持つもの（図５）。又は
・指定のキー以外の長すぎるキー、ピンを挿入すると絶縁片（ＺＺ）が外れて常時通電状態になり、ベル等鳴りぱなしになる接点機構のものも含む（図６）。
【発明の詳細な説明】
【００１】
【産業上の利用分野】
２１世紀になり犯罪も錠等を潰して不法侵入するロウレベルのものと、不法侵入犯罪激増の中犯罪のプロも開錠出来ない、又ドライバーでの破壊も不可能なものの発明を考える。変な自尊心を持つプロは錠は決して潰さないで開錠する。錠業界では不法開錠防止は不可能と考えられているように思われる。
ノーベル化学賞の田中氏テスト意図と異なる混合ミスの材料、捨てるのはどうかと思いテストして発見とのこと。７０年代有名になった”水平思考”提案のケンブリッチ大学デボノ教授の発想で垂直思考で限界あり水平発想でこのプロ泣かせの工法を思いつきました。自称２１世紀では画期的と思ってます。
【００２】
【背景技術】
回転シリンダー内ロックピンを外しながらドアーロックを外せるレベルの２１世紀のハイテクでなく依然とローテク状態であった。
小生の関係者で１０年間に及ぶ悪戯で不法侵入されております。この対策を研究開始
【００３】
【考案が解決しようとする課題点】
ピッキングによる不法開錠の手法は回転シリンダー内の長いピンを使いロックピンを外すだけでは開錠は困難で、且つ回転してドアーのロックピンの開錠が必要ですがこれもプロは開錠してしまいます。不法開錠出来るが常識でやむを得ぬと言う業界判断が有ったように思える。今までのもの回転シリンダー内のピンを外せないかに業界として垂直思考的にしてきたように思えます。
ピッキングピン挿入不能で開錠出来ないものを考える。
【００４】
【課題を解決するための手段】
１・先ず回転シリンダー内のロックピンを外されぬ工法でなくこれを無視で小生水平思考で次工程のドアーロックピンを外せぬようではなく、ピンを外しにくく且つ回転シリンダーを回転出来ぬようにすると言う二つ目の工法に重点をおいた発明で自画自賛かもしれませんが、開錠プロが最敬礼するものを発明を考える。
２・通常の開錠用キー以外に回転シリンダーに内蔵の浮動キーを設けて仕切ピンを設け浮動キーのピッキングを完全不可能に出来ないか。浮動キーを長くしてレバー１として活用の可能性
３・汎用キーは回転シリンダーに固定のレバー１とロックキーをロック、アンロックするレバー２で構成するが今回の工法はレバー１を固定せず前後可動で新しいアイデアを考える。
４・不法開錠防止でセキュリティ上自動信号発信のための機構を考える。
５・３０年前に米国工場見学しましたが二度と家庭電気製品が米国に帰ることありませんでした。日本の不況脱出不能も２１世紀も未だ垂直思考で洗濯機、エヤコン作るは驚きです。２１世紀は水平思考でないと生きてはゆけないと言う発想で取り組みました。
【００５】
【作用】
２１世紀ＡＴＭ事件等の低レベルもの、錠を潰さず不法侵入の犯罪多発もこの錠を活用するとこの種の錠の不法侵入が排除でき安心の一つとなる。
１・回転シリンダー錠内の奥部にキーと同じ断面の浮動キーを追加し、これは通常内蔵してこれにも１個以上のロックピンを設け同じキー機能をもたせ、従来の左端ロックピンと新たな右端ロックピンのピッチ寸法との関係等で開錠できるもの。浮動キーは右側よりＣＳ（バネ等）で常時押されている。
２・更に追加された浮動キーとの接触部部分のみ、回転シリンダー内部のキー穴サイズの幅、厚さ方向又は何れかをピッキング不能で開錠不能程に  狭くしたものか、又はそうしていないものがある。（図１）
３・現行汎用錠はキー挿入で開錠出来るがキー挿入も開錠出来ず所定の長さのキーを使用せずば開錠出来ない方法を考える。この発明のハイライトは一般の錠では回転シリンダー先端に固定のレバーで常時連結でドアーキーを動かすがこのレバー１，２何れかを常時連結せず空転するがレバー１か２を所定の深さにキー挿入ではじめて連結勘合開錠出来るようにしたもので、挿入不足かし過ぎると通電できるマイクロスイッチ機能のメカを備えた物。マイクロスイッチ機構は特に定めない機能を追加した。もう一つハイライトはこの機能にあわせて図２でのＬＬ詳細のＬ１かＬ２でユーザーサイドでも容易に加工可能にしたものも特徴である。
【００６】
【実施例】
１・浮動キー追加で開錠困難も、完全開錠不能のため接触部寸法のみ回転シリンダー内をピン、ネジ等で穴形状の厚さか幅を狭くして開錠不能成功。
浮動キーと一体化のもの更に困難とした事例（図１、２）
２・更に新しくドアーのロック、アンロックのためレバー１を移動式にして移動しなければレバー２駆動、勘合出来ず従って開錠出来ない。
又寸法値ＬＬ，Ｌがユザー側で設定加工変更が出来不法開錠が更に困難となり、必要以上に押すしすぎると図５のＧＧで空転し開錠出来ず画期的なアイデアと思う（図２，３）。
３・又セキリテイ上不法ピッキングしようとしても異常信号発信のための事前機構を持ち、瞬間発信の為の機構更に発信し続けるための機構準備で工事が容易である（図５，６）。
【００７】
【考案の効果】
精神的に不安、恐怖心を起こすため月に数回不法侵入は完全排除できた。
水平思考で現存商品をわずかな改良するだけで画期的機能が期待できる。
【図面の簡単な説明】
【図１】通常ロックピンに更にロックピンを有する浮動キーを設け、更にピッキングを不能にするネジｏｒピン等（Ｖ）又は回転シリンダーの内部穴に狭い部分を設けたもの。
【図２】浮動キーＦＫのロックピンを機構保持部Ｂの外側より装着、浮動キーとレバー１の機能を兼ねたものでロックキーの駆動のためレバー１が移動勘合したときのみレバー２が可動し開錠出来る機構事例で勘合開錠状態図。
キーの形状ＬＬ詳細Ｌ１とＬ２の関係。又はレバー１でこの寸法長さを変えることある。
【図３】常時レバー１と２とを勘合をせずにキー挿入でレバー１が可動で初めて勘合でロック、アンロック出来る。
【図４】１はレバー１の側面図、２はレバー１とレバー２の強度強化支持棒を有する一体化したものもある。平面図３は支持棒を含む物もある，４はロック逃げ１か２カ所有る物、５は支持棒を有する物もある。
【図５】汎用キーの電気用の異常時に瞬間接触のみの接点機構事例
【図６】汎用キーの電気用の異常時の常時通電の機構事例（Ｅ）絶縁状態も過挿入で常時通電状態（Ｆ）過挿入なくば通電しない状態
【符号の説明】
Ｘ＝回転シリンダー
Ｙ＝回転シンリンダー機構保持部
ＬＶ１＝レバー１
ＬＶＦ＝浮動キーとレバー１との一体化
ＬＶ２＝レバー２
ＦＫ＝浮動キー
Ｖ＝浮動キーのピッキングの防止の妨害ピン、ネジ
（回転シリンダー内部穴に一体加工で設けたものもあり）
ＣＳ＝コイル、板バネ等弾性材
ＣＳＬ＝バネ等の止め位置で方法は特に定めない
ＲＰ＝回転シリンダー用のロックピン
ＲＫ＝ドアー用のロックキー
ＬＬ＝キー挿入時キーの右端のロックピンのセンターから先端迄の市販標準寸法
Ｌ＝キー挿入キーの先端から右の錠内側迄の寸法
Ｌ１＝市販キー先端の寸法をユーザーで加工短くした事例
ＳＫＩ＝電気接点位置
Ｌ２＝市販キー先端に材料追加で寸法長くした事例
ＬＫＢ＝レバー１強化支持棒
Ｌ１２Ｃ＝レバー１，２勘合部分
（Ａ）＝レバー１、２勘合状態
（Ｂ）＝レバー１、２解放状態
（Ｃ）＝接点接触状態
（Ｄ）＝接点解放状態
（Ｅ）＝指定キーでなく挿入しすぎで絶縁片（ＺＺ）外れ、異常通電
（Ｆ）＝接点正常状態
ＳＫ＝電気接点機構事例
ＳＣ＝接点ＣＬＯＳＥ
ＳＯ＝接点解放ＯＰＥＮ
（ＧＧ）＝キー挿入しすぎ時空転の為の逃げ
（ＺＺ）＝絶縁片
（Ｒ）＝絶縁材
ＩＴ＝異常通電


【手続補正２】
【補正対象書類名】図面
【補正対象項目名】全図
【補正方法】変更
【補正の内容】
【図１】
2005054355.tif 000023
【図２】
2005054355.tif 000024
【図３】
2005054355.tif 000025
【図４】
2005054355.tif 000026
【図５】
2005054355.tif 000027
【図６】
2005054355.tif 000028